(57)【要約】【課題】本発明の目的は、動画撮影において、ユーザが縦位置撮影を意図せずに実施することを回避できる撮像装置を提供する。【解決手段】動画撮影準備中又は動画撮影中に姿勢差検出センサ３００によりデジタルカメラ１００が縦位置であると判定された場合には、警告を表示するように画像表示部２８が制御される。一方、静止画撮影準備中又は静止画撮影中に姿勢差検出センサ３００によりデジタルカメラ１００が縦位置であると判定された場合には、警告を表示しないように画像表示部２８が制御される。【選択図】図１
2007189533.tif 000002
【特許請求の範囲】
【請求項１】
被写体を撮影する撮像装置であって、
被写体を静止画及び動画で撮影可能な撮影手段と、
前記撮像装置の姿勢を検出する姿勢検出手段と、
静止画撮影準備中又は静止画撮影中に前記姿勢検出手段により前記撮像装置が縦位置であると判定された場合には、警告動作を実行せず、動画撮影準備中又は動画撮影中に前記姿勢検出手段により前記撮像装置が縦位置であると判定された場合には、警告動作を実行する警告手段とを備えることを特徴とする撮像装置。
【請求項２】
動画撮影準備中又は動画撮影中に前記姿勢差検出手段により前記撮像装置が縦位置であると判定された場合には、前記撮影手段による撮影動作を禁止する撮影動作禁止手段を有することを特徴とする請求項１記載の撮像装置。
【請求項３】
前記撮影手段で撮影された静止画又は動画を表示する表示手段を有し、前記警告動作は、前記表示手段による警告表示であることを特徴とする請求項１又は２記載の撮像装置。
【請求項４】
発音手段を有し、前記警告動作は、前記発音手段による警告音の発音動作であることを特徴とする請求項１乃至３のいずれか１項記載の撮像装置。
【請求項５】
動画撮影中に前記姿勢差検出手段により前記撮像装置が縦位置であると判定された場合には、前記撮影手段によって撮影された動画像の縦横比を変換した画像を生成して記録する画像生成記録手段を有することを特徴とする請求項１乃至４のいずれか１項記載の撮像装置。
【請求項６】
前記画像生成記録手段は、前記撮影手段によって撮影された動画像を縮小し、左右方向にブランキング部を付加することで縦横比を変換することを特徴とする請求項５に記載の撮像装置。
【請求項７】
前記画像生成記録手段は、前記撮影手段によって撮影された動画像を拡大し、上下方向の一部を削除することで縦横比を変換することを特徴とする請求項５に記載の撮像装置。
【請求項８】
被写体を静止画及び動画で撮影可能な撮影手段と、前記撮像装置の姿勢を検出する姿勢検出手段とを備える撮像装置の制御方法であって、
前記姿勢検出手段によって、前記撮像装置の姿勢を検出する姿勢検出工程と、
静止画撮影準備中又は静止画撮影中に前記姿勢検出工程により前記撮像装置が縦位置であると判定された場合には、警告動作を実行せず、動画撮影準備中又は動画撮影中に前記姿勢検出工程により前記撮像装置が縦位置であると判定された場合には、警告動作を実行する警告工程とを備えることを特徴とする撮像装置の制御方法。
【請求項９】
被写体を静止画及び動画で撮影可能な撮影手段と、前記撮像装置の姿勢を検出する姿勢検出手段とを備える撮像装置で実行される制御プログラムであって、
前記姿勢検出手段によって、前記撮像装置の姿勢を検出する姿勢検出モジュールと、
静止画撮影準備中又は静止画撮影中に前記姿勢検出工程により前記撮像装置が縦位置であると判定された場合には、警告動作を実行せず、動画撮影準備中又は動画撮影中に前記姿勢検出工程により前記撮像装置が縦位置であると判定された場合には、警告動作を実行する警告モジュールとを備えることを特徴とする制御プログラム。
【発明の詳細な説明】
【技術分野】
【０００１】
本発明は、カメラ、デジタルカメラ、デジタルカメラ等の撮像装置、当該装置の制御方法及び制御プログラムに関する。
【背景技術】
【０００２】
近年デジタルカメラとビデオカメラの機能の融合が盛んに行われ、動画と静止画の両方が撮影可能なカメラの開発が盛んに行われている。ビデオカメラはその形状によって縦位置撮影がほとんど実行されないが、デジタルカメラは静止画撮影において、縦位置撮影（デジタルカメラを左右のいずれか方向に９０度回転させて実行する撮影）を行うケースは様々なケースで考えられる。
【０００３】
また、録画画像がかなり傾いてしまうような不適切な傾きに達している場合に、画質が劣化するような映像信号が得られることを防ぐために、警告音を発する撮像装置が知られている（特許文献１参照）。
【特許文献１】特開平５−７３２２号公報
【発明の開示】
【発明が解決しようとする課題】
【０００４】
しかしながら、上記特許文献１の撮像装置で縦位置撮影を実行すると、縦位置撮影自体は画質が劣化するような映像信号が得られるわけではないので、警告音が発せられることはない。
【０００５】
一方、動画で縦位置撮影を行って再生する場合に、テレビ接続又はＰＣのアプリケーションで閲覧すると、縦位置撮影された動画は横になってしまうという不具合がある。
【０００６】
本発明の目的は、動画撮影において、ユーザが縦位置撮影を意図せずに実施することを回避できる撮像装置、当該装置の制御方法及び制御プログラムを提供することにある。
【課題を解決するための手段】
【０００７】
上記目的を達成するため、請求項１の撮像装置は、被写体を撮影する撮像装置であって、被写体を静止画及び動画で撮影可能な撮影手段と、前記撮像装置の姿勢を検出する姿勢検出手段と、静止画撮影準備中又は静止画撮影中に前記姿勢検出手段により前記撮像装置が縦位置であると判定された場合には、警告動作を実行せず、動画撮影準備中又は動画撮影中に前記姿勢検出手段により前記撮像装置が縦位置であると判定された場合には、警告動作を実行する警告手段とを備えることを特徴としている。
【０００８】
請求項８の撮像装置の制御方法は、被写体を静止画及び動画で撮影可能な撮影手段と、前記撮像装置の姿勢を検出する姿勢検出手段とを備える撮像装置の制御方法であって、前記姿勢検出手段によって、前記撮像装置の姿勢を検出する姿勢検出工程と、静止画撮影準備中又は静止画撮影中に前記姿勢検出工程により前記撮像装置が縦位置であると判定された場合には、警告動作を実行せず、動画撮影準備中又は動画撮影中に前記姿勢検出工程により前記撮像装置が縦位置であると判定された場合には、警告動作を実行する警告工程とを備えることを特徴としている。
【０００９】
請求項９の制御プログラムは、被写体を静止画及び動画で撮影可能な撮影手段と、前記撮像装置の姿勢を検出する姿勢検出手段とを備える撮像装置で実行される制御プログラムであって、前記姿勢検出手段によって、前記撮像装置の姿勢を検出する姿勢検出モジュールと、静止画撮影準備中又は静止画撮影中に前記姿勢検出工程により前記撮像装置が縦位置であると判定された場合には、警告動作を実行せず、動画撮影準備中又は動画撮影中に前記姿勢検出工程により前記撮像装置が縦位置であると判定された場合には、警告動作を実行する警告モジュールとを備えることを特徴としている。
【発明の効果】
【００１０】
本願発明によれば、動画撮影準備中又は動画撮影中に撮像装置が縦位置であると判定された場合には、警告動作が実行され、静止画撮影準備中又は静止画撮影中に撮像装置が縦位置であると判定された場合には、警告動作が実行されないように制御されるので、動画撮影において、ユーザが縦位置撮影を意図せずに実施することを回避できる。
【発明を実施するための最良の形態】
【００１１】
以下、図面を参照して本発明の実施の形態を説明する。
【００１２】
図１は、本発明の実施の形態に係る撮像装置の構成を示すブロック図である。
【００１３】
本実施の形態に係る撮像装置は、デジタルカメラ１００である。
【００１４】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ又はメモリ制御回路２２からのデータに対して所定の画素補間処理や色変換処理を行う。
【００１７】
さらに、画像処理回路２０は、撮像した画像データを用いて所定の演算処理を行い、得られた演算結果に基づいてＴＴＬ方式のＡＷＢ（オートホワイトバランス）処理も行っている。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００１９】
Ａ／Ｄ変換器１６のデータが画像処理回路２０及びメモリ制御回路２２を介して、又はＡ／Ｄ変換器１６のデータが直接メモリ制御回路２２を介して、画像表示メモリ２４又はメモリ３０に書き込まれる。
【００２０】
２４は画像表示メモリであり、２６はＤ／Ａ変換器である。２８はＴＦＴ−ＬＣＤ（Thin Film Transistor - Liquid Crystal Display）等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００２１】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００２２】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２３】
３２は適応離散コサイン変換（ＡＤＣＴ）等により画像データを圧縮伸長する圧縮・伸長回路であり、メモリ３０に格納された画像を読み込んで圧縮処理又は伸長処理を行い、処理を終えたデータをメモリ３０に書き込む。
【００２４】
４０は絞り機能を備えるシャッター１２を制御する露光制御部であり、フラッシュ４８と連携することによりフラッシュ調光機能も有する。
【００２５】
４２は撮影レンズ１０のフォーカシングを制御する測距制御部であり、４４は撮影レンズ１０のズーミングを制御するズーム制御部であり、４６は保護部１０２の動作を制御するバリア制御部である。４８はフラッシュであり、ＡＦ補助光の投光機能及びフラッシュ調光機能も有する。
【００２６】
システム制御回路５０は画像処理回路２０で得られた演算結果に基づいて露光制御部４０及び測距制御部４２に対して制御を行う。これにより、露光制御部４０及び測距制御部４２により、ＴＴＬ（スルー・ザ・レンズ）方式のＡＦ（オートフォーカス）処理、ＡＥ（自動露出）処理、ＥＦ（フラッシュプリ発光）処理等が行われる。さらに、システム制御回路５０はデジタルカメラ１００全体を制御する。
【００２７】
５２はシステム制御回路５０の動作用の定数、変数、プログラム等を記憶するメモリである。
【００２８】
５４はシステム制御回路５０でのプログラムの実行に応じて、文字、画像、音声等を用いて動作状態やメッセージ等を表示及び発音する表示／発音部である。表示／発音部５４は、デジタルカメラ１００の操作部近辺の視認し易い位置に設置され、例えばＬＣＤやＬＥＤ、発音素子等の組み合わせにより構成されている。また、表示／発音部５４の一部の表示機能は、光学ファインダー１０４内に設置されている。
【００２９】
表示／発音部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示などがある。また、ブザー設定表示、時計用電池残量表示、電池残量表示、エラー表示、複数桁の数字による情報表示、記録媒体２００及び２１０の着脱状態表示、通信I/F動作表示、日付け・時刻表示等も可能である。また、表示／発音部５４の表示内容のうち、光学ファインダー１０４内に表示するものとしては、合焦表示、手振れ警告表示、フラッシュ充電表示、シャッタースピード表示、絞り値表示、露出補正表示等がある。
【００３０】
５６は電気的に消去・記録可能な不揮発性メモリであり、例えばＥＥＰＲＯＭ等が用いられる。
【００３１】
６０、６２、６４、６６、６８及び７０は、システム制御回路５０の各種の動作指示を入力するための操作手段であり、スイッチやダイアル、タッチパネル、視線検知によるポインティング、音声認識装置等の単数又は複数の組み合わせで構成される。
【００３２】
６０はモードダイアルスイッチで、電源オフ、自動撮影モード、静止画撮影モード、パノラマ撮影モード、動画撮影モード、再生モード、マルチ画面再生・消去モード、ＰＣ接続モード等の各機能モードを切り替え設定することができる。本実施の形態では、特にこのモードダイヤルスイッチによって、別ディレクトリに画像を保存するかしないかの切り替えを行う。
【００３３】
６２はシャッタースイッチＳＷ（１）で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３４】
６４はシャッタースイッチＳＷ（２）で、不図示のシャッターボタンの操作完了でＯＮとなり、撮像素子１４から読み出した信号をＡ／Ｄ変換器１６及びメモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００又は２１０に画像データを書き込む記録処理という一連の処理の動作開始を指示する。
【００３５】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ−ＬＣＤ等から成る画像表示部２８への電流供給を遮断することで、省電力を図ることが可能となる。
【００３６】
６８はクイックレビューＯＮ／ＯＦＦスイッチで、撮影直後に撮影した画像データを自動再生するクイックレビュー機能を設定する。
【００３７】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等もある。本発明における第２の画像を保存する指定も操作部７０で行うことができる。
【００３８】
８０は電源制御部で、電池検出回路、ＤＣ−ＤＣコンバータ、及び通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３９】
８２及び８４はコネクタであり、８６はアルカリ電池やリチウム電池等の一次電池や、NiCd電池やNiMH電池、Li電池等の二次電池又はACアダプター等からなる電源部である。
【００４０】
９０及び９４はメモリカードやハードディスク等の記録媒体とのインタフェースであり、９２及び９６はメモリカードやハードディスク等の記録媒体と接続を行うコネクタであり、９８はコネクタ９２又は９６に記録媒体２００又は２１０が装着されているか否かを検知する記録媒体着脱検知部である。
【００４１】
本実施の形態では、デジタルカメラ１００が記録媒体を取り付けるインターフェース及びコネクタを２つ備えているが、記録媒体を取り付けるインターフェース及びコネクタは、単数でも複数でもよい。また、異なる規格のインターフェース及びコネクタを組み合わせて備える構成としてもよい。インターフェース及びコネクタは、PCMCIAカードやCF（コンパクトフラッシュ（登録商標））カード等の規格に準拠したものを用いて構成してもよい。
【００４２】
さらに、インタフェース９０，９４及びコネクタ９２，９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、及びPHSの通信カード等の各種通信カードを上記インタフェース及びコネクタに接続することにより、コンピュータ又はプリンタ等の周辺機器との間で画像データや画像データに付属した管理情報を送受信することができる。
【００４３】
保護部１０２は、デジタルカメラ１００のレンズ１０やその周辺を覆うことにより、レンズ１０やその周辺の汚れや破損を防止する。
【００４４】
光学ファインダ１０４は、画像表示部２８による電子ファインダー機能を使用することなしに、光学ファインダのみを用いて撮影を行うことが可能である。また、光学ファインダー１０４内には、表示／発音部５４の一部の機能、例えば、合焦表示、手振れ警告表示、フラッシュ充電表示、シャッタースピード表示、絞り値表示、露出補正表示などが設置されている。
【００４５】
１１０は通信部であり、RS232CやUSB、IEEE1394、P1284、SCSI、モデム、LAN、無線通信等の各種通信機能を有する。
【００４６】
１１２は通信部１１０によりデジタルカメラ１００を他の機器と接続するコネクタ（無線通信の場合はアンテナ）である。
【００４７】
記録媒体２００はメモリカードやハードディスク等であり、半導体メモリや磁気ディスク等から構成される記録部２０２、デジタルカメラ１００とのインタフェース２０４、及びデジタルカメラ１００と接続を行うコネクタ２０６を備えている。
【００４８】
記録媒体２１０もメモリカードやハードディスク等であり、半導体メモリや磁気ディスク等から構成される記録部２１２、デジタルカメラ１００とのインタフェース２１４、及びデジタルカメラ１００と接続を行うコネクタ２１６を備えている。
【００４９】
３００は姿勢差検出センサで、デジタルカメラ１００が縦位置又は横位置にあることの検出が可能である。検出結果を画像表示部２８又は表示／発音部５４等に表示することが可能である。
【００５０】
図２は、静止画撮影で実行される処理を示すフローチャートである。本処理は主としてシステム制御回路５０により実行される。
【００５１】
モードダイアルスイッチ６０が静止画撮影モードの状態で電源を投入すると、静止画撮影モードが開始され（ステップＳ２０１）、静止画撮影待機中となり、画像表示部２８にライブ画像が表示される（ステップＳ２０２）。
【００５２】
次いで、シャッタースイッチＳＷ（２）６４が押下されたか否かを判別する（ステップＳ２０３）。シャッタースイッチＳＷ（２）６４が押下されていない場合は、ステップＳ２０２に戻る。一方、シャッタースイッチＳＷ（２）６４が押下された場合は、静止画撮影を実行して（ステップＳ２０７）、ステップＳ２０２に戻る。撮影された静止画像はメモリ３０に書き込まれる。
【００５３】
静止画撮影準備中又は静止画撮影中は、デジタルカメラ１００が縦位置で撮影されてもユーザにとって不具合は生じないので、画像表示部２８が警告を表示することはない。即ち、システム制御回路５０は、静止画撮影準備中又は静止画撮影中に姿勢差検出センサ３００によりデジタルカメラ１００が縦位置であると判定された場合には、警告を表示しないように画像表示部２８を制御する。
【００５４】
図３は、動画撮影で実行される処理を示すフローチャートである。本処理は主としてシステム制御回路５０により実行される。
【００５５】
モードダイアルスイッチ６０が動画撮影モードの状態で電源を投入すると、動画モードが開始され（ステップＳ３０１）、動画撮影待機中となり、画像表示部２８にライブ画像が表示される（ステップＳ３０２）。
【００５６】
姿勢差検出センサ３００でデジタルカメラ１００が縦位置にあることが検出されたか否かを判別する（ステップＳ３０３）。
【００５７】
ステップ３０３において、姿勢差検出センサ３００でデジタルカメラ１００が縦位置にあることが検出された場合、画像表示部２８にデジタルカメラ１００が縦位置にあることを警告する表示を行い（ステップＳ３０４）、ステップＳ３０２に戻り、動画撮影待機中の状態を保持する（ステップＳ３０２）。
【００５８】
ステップ３０３において、姿勢差検出センサ３００でデジタルカメラ１００が縦位置にあることが検出されない場合、即ち、姿勢差検出センサ３００でデジタルカメラ１００が横位置にあることが検出された場合、シャッタースイッチＳＷ（２）６４が押下されたか否かを判別する（ステップＳ３０５）。
【００５９】
ステップＳ３０５において、シャッタースイッチＳＷ（２）６４が押下されていない場合は、ステップＳ３０２に戻る。一方、ステップＳ３０５において、シャッタースイッチＳＷ（２）６４が押下された場合は、レリーズを検出した際に、再度姿勢差検出センサ３００でデジタルカメラ１００が縦位置にあることが検出されたか否かを判別する（ステップＳ３０６）。
【００６０】
ステップＳ３０６において、姿勢差検出センサ３００でデジタルカメラ１００が縦位置にあることが検出された場合には、撮影を許可せずに、警告表示を行い（ステップＳ３０４）、動画撮影待機中の状態を保持する（ステップＳ３０２）。
【００６１】
ステップＳ３０６において、姿勢差検出センサ３００でデジタルカメラ１００が縦位置にあることが検出されない場合には、動画撮影を開始する（ステップＳ３０７）。
【００６２】
その後、動画撮影中に姿勢差検出センサ３００でデジタルカメラ１００が縦位置にあることが検出されたか否かを判別する（ステップＳ３０８）。
【００６３】
ステップＳ３０８において、動画撮影中に縦位置にあることが検出された場合には、画像表示部２８にデジタルカメラ１００が縦位置にあることを警告する表示を行うとともに、後述する縦横比を変換した動画像を生成してメモリ３０に記憶する（ステップＳ３０９）。その後、ステップＳ３１０に進む。
【００６４】
ステップＳ３０８において、動画撮影中に縦位置にあることが検出されない場合には、再度シャッタースイッチＳＷ（２）６４が押下され、動画撮影の終了指示が入力されたか否かを判別する（ステップＳ３１０）。
【００６５】
ステップＳ３１０において、動画撮影の終了指示が入力されていない場合には、ステップＳ３０７に戻る。一方、動画撮影の終了指示が入力された場合は、本処理を終了する。
【００６６】
図４は、画像表示部２８での表示態様を示す図であり、（Ａ）はデジタルカメラ１００が横位置にある場合を示し、（Ｂ），（Ｃ）は縦横比３：４の画像から縦横比４：３の画像を作成する例を示す。
【００６７】
通常、デジタルカメラ１００が横位置にある場合、動画は表示４１０のように撮影される（図４（Ａ））。本実施の形態では画像表示部２８の表示エリアの縦横比は４：３である。縦位置で静止画を撮影する場合には、表示４１１のように縦横比３：４の画角の画像が撮影される。動画撮影中に縦位置を検出した場合には、図４（Ｂ）に図示するように、表示４１１の３：４の画像に対して、縮小して左右両端に黒のブランキング部を付加して縦横比４：３の画像を再構成する。そして、再構成した画像を動画の一コマとして動画像を生成し、メモリ３０に記憶する。この処理は、主として画像処理回路２０、圧縮・伸長回路３２及びシステム制御回路５０で実行される。
【００６８】
図４（Ｂ）の変化例として、動画撮影中に縦位置を検出した場合には、図４（Ｃ）に図示するように、表示４１１の３：４の画像から上下の所定幅の画像をカットして、縦横比４：３の画像を再構成する。そして、再構成した画像を動画の一コマとして動画像を生成し、メモリ３０に記憶するようにしてもよい。この処理は、主として画像処理回路２０及びシステム制御回路５０で実行される。
【００６９】
以上詳細に説明したように、本実施の形態によれば、動画撮影準備中又は動画撮影中に姿勢差検出センサ３００によりデジタルカメラ１００が縦位置であると判定された場合には、警告を表示するように画像表示部２８が制御される（即ち警告動作が実行される）。一方、静止画撮影準備中又は静止画撮影中に姿勢差検出センサ３００によりデジタルカメラ１００が縦位置であると判定された場合には、警告を表示しないように画像表示部２８が制御される（即ち警告動作は実行されない）。よって、動画撮影において、ユーザが縦位置撮影を意図せずに実施することを回避できる。
【００７０】
また、動画撮影中に姿勢差検出センサ３００によりデジタルカメラ１００が縦位置であると判定された場合には、システム制御回路５０は、縦位置で撮影された画像を縮小して左右にブランキング部を付加した画像を生成し、この画像を横位置の画像としてメモリ３０に保存するので、縦位置で撮影をした場合にも再生時に常に上下が正位置で動画を閲覧することが可能となる。
【００７１】
さらに、動画撮影中に姿勢差検出センサ３００によりデジタルカメラ１００が縦位置であると判定された場合には、システム制御回路５０は、縦位置で撮影された画像の一部を削除し、残りの画像を横位置の画像としてメモリ３０に保存するので、縦位置で撮影をした場合にも再生時に常に上下が正位置で動画を閲覧することが可能となる。
【００７２】
図２では撮影待機中にデジタルカメラ１００の縦位置を検出した場合に警告を表示して、レリーズを禁止した例を示したが、警告を表示するが、撮影を許可するようにしてもよい。また、デジタルカメラ１００の設定メニューとして、縦動画時の警告表示あり／なしを設定するメニューを設けてもよい。この場合、メニューで警告表示ありが設定されていた場合には図３のような動作を行い、メニューで警告表示なしが設定されていた場合には縦位置の動画に関する警告表示は一切行わないようにする。この制御はシステム制御回路５０により実行され、縦動画時の警告表示あり／なしの設定は、操作部７０の所定のボタンを介して行う。
【００７３】
また、撮影待機中に画像表示部２８にデジタルカメラ１００の姿勢を表示するアイコンを常に表示させておき、モードダイアルスイッチ６０の設定、即ち静止画撮影モード又は動画撮影モードに応じて、当該アイコン表示を変更するようにしてもよい。これにより、動画の縦位置撮影に対して、ユーザに注意を喚起することができる。
【００７４】
さらに、警告表示を表示部２８で表示する代わりに表示／発音部５４で表示してもよい。また、警告時に表示／発音部５４を使用する場合には、警告表示に代えて又は警告表示と共に、警告音（ビープ音の他、「デジタルカメラの姿勢を確認してください」などの警告音声も含む）を出力するようにしてもよい。
【００７５】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７６】
この場合、記憶媒体から読み出されたプログラムコード自体が前述した実施の形態の機能を実現することになり、そのプログラムコード及び該プログラムコードを記憶した記憶媒体は本発明を構成することになる。
【００７７】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００８０】
【図１】本発明の実施の形態に係る撮像装置の構成を示すブロック図である。
【図２】静止画撮影で実行される処理を示すフローチャートである。
【図３】動画撮影で実行される処理を示すフローチャートである。
【図４】画像表示部での表示態様を示す図であり、（Ａ）はデジタルカメラが横位置にある場合を示し、（Ｂ），（Ｃ）は縦横比３：４の画像から縦横比４：３の画像を作成する例を示す。
【符号の説明】
【００８１】
１０  撮影レンズ
１４  撮像素子
１６  Ａ／Ｄ変換器
１８  タイミング発生回路
２０  画像処理回路
２２  メモリ制御回路
２４  画像表示メモリ
５０  システム制御回路
７０  操作部
１００  デジタルカメラ
３００  姿勢差検出センサ
【図１】
2007189533.tif 000003
【図２】
2007189533.tif 000004
【図３】
2007189533.tif 000005
【図４】
2007189533.tif 000006